【事件の表示】
　上記当事者間の登録第４３０３４４１号商標の商標登録無効審判事件について、次のとおり審決する。
【結　論】
　登録第４３０３４４１号の登録を無効とする。
　審判費用は被請求人の負担とする。
【理　由】
１　本件商標
　本件登録第４３０３４４１商標（以下「本件商標」という。）は、別掲（１）のとおりの構成よりなり、平成１０年６月１０日に登録出願、第３９類「船舶による輸送，鉄道による輸送，車両による輸送，航空機による輸送，貨物のこん包，貨物の積卸し，貨物の輸送の媒介，船舶の貸与・売買又は運航の委託の媒介，船舶の引揚げ，水先案内，主催旅行の実施，旅行者の案内，旅行に関する契約（宿泊に関するものを除く。）の代理・媒介又は取次ぎ，寄託を受けた物品の倉庫における保管，他人の携帯品の一時預かり，ガスの供給，電気の供給，熱の供給，水の供給，係留施設の提供，倉庫の提供，駐車場の提供，飛行場の提供，車いすの貸与，航空機の貸与，コンテナの貸与，自転車の貸与，自動車の貸与，船舶の貸与，パレットの貸与，包装用機械器具の貸与」を指定役務として、同１１年８月６日に設定登録されたものである。
　
２　請求人の主張の要点
　請求人は、結論同旨の審決を求め、その理由を要旨次のように述べ、証拠方法として甲第１号証ないし同第５号証を提出した。
（１）本件商標登録を無効とすべき理由
　本件商標は、被請求人が請求人とフランチャイズ契約の締結期間中に請求人に無断で商標登録を行ったものであり、商標法第４条第１項第７号に違反して登録されたものである。
（ア）請求人と被請求人は、本件商標の登録出願前の平成１０年３月２４日に、請求人をフランチャイザー、被請求人をフランチャイジーとして、日本国内における本件商標の指定役務の提供に係るフランチャイズ契約（甲第４号証）を締結しており、同契約は、平成１７年７月３１日に終了した（甲第５号証）。
（イ）フランチャイズ契約の有効期間中の平成１０年６月１０日に、被請求人は、請求人の承諾を得ることなく、請求人の保有する別掲（２）のとおりの構成よりなるベネルクス商標登録第６１６６０３号（甲第３号証、以下「引用商標」という。）と色彩のみを異にし、外観、称呼、観念が共通する本件商標を、引用商標の指定役務と類似の役務（第３９類）を指定役務として登録出願を行い、平成１１年８月６日に設定登録が行われた。
（ウ）甲第４号証のフランチャイズ契約の第７条には、本件商標のような知的財産権が請求人に帰属することが定められ、また、同契約第２９条では、契約終了後のフランチャイジーの商標使用を禁止している。
（エ）本件商標は、被請求人がフランチャイズ契約に違反し請求人に無断で本件商標を登録出願し、その登録を受け、契約終了後も請求人に権利を移転せず無断で使用を続けているものである。
（２）結論
　被請求人のかかる行為によって登録された本件商標は、公正な取引秩序を乱すおそれがあるばかりでなく国際信義に反し公の秩序を害するものであるので、本件商標は、商標法第４条第１項第７号に違反して登録されたものであり、同法第４６条第１項第１号により、無効とすべきものである。
　
３　被請求人の主張
　被請求人は、請求人の主張に対し、何らの答弁もしていない。
　
４　当審の判断
（１）本件商標を無効とすべき理由
（ア）本件商標及び引用商標
　本件商標は、別掲（１）に示したとおり、多数の白抜きの横線を有する半円図形を直線部が上になるように表し、その上部には、直線部が下部の直線部と接し円弧の左部が揃う位置に、下部の図形より小さな半円図形を配した構成よりなる全体が右上方に凹部を有する黒塗りを基調とした図形（以下「本件図形」という。）と、その右側に、「ＥＣＵ」の文字と「ＬＩＮＥ」の文字とを、下段の文字を１文字ほど右にずらして上下二段に配してなるものである。
　これに対し、引用商標のベネルクス商標登録第６１６６０３号商標は、別掲（２）に示したとおりの構成よりなるものであって、ほぼ本件商標と同一といえる構成よりなり、異なるところは、本件図形の下部の図形に相当する部分と文字とを青色で、本件図形の上部の図形に相当する部分を黄色で彩色してなる点である。
　そうとすれば、本件商標は、引用商標と外観において極めて酷似しているものであり、それぞれの「ＥＣＵ」と「ＬＩＮＥ」の両文字から生ずる「イーキューライン」の称呼を共通にするものであるから、本件商標は、引用商標と外観及び称呼において類似するものというのが相当である。
　また、引用商標は、第６類に属する商品及び第３６類に属する役務のほか第３９類の「商品の保管・輸送及び配達,船舶の荷積み及び荷揚げ,船舶及びその貨物の救助,貨物の発送,海難救助(輸送),電気・ガス・熱及び水の輸送及び配給,気体状・液状及び固体状の材料の輸送(パイプラインを通すものも含む。),乗物・コンテナ・タンク及び倉庫の貸与,貨物業者により提供されるグループ分け及び輸送,貨物の輸送」を指定商品又は指定役務とするものであり（甲第３号証）、前記１のとおりの役務を指定役務とする本件商標は、引用商標と類似の役務について使用するものである。
（イ）フランチャイズ契約等
　以上のとおり、本件商標は、請求人の引用商標と類似し、その指定役務も類似のものであるところ、１９９８年（平成１０年）３月２４日に、請求人をフランチャイザー、被請求人をフランチャイジーとするフランチャイズ契約が締結され、この契約は、２００５年（平成１７年）に終了した。
　そして、本件商標の登録出願は、その契約の期間中の平成１０年６月１０日になされたことが認められる。
（ａ）該フランチャイズ契約は、フランチャイジーがＥｃｕ−Ｌｉｎｅグループ（Ｅｃｕ−Ｌｉｎｅ　Ｇｒｏｕｐ　ｏｆ　Ｃｏｍｐａｎｉｅｓ）の国際的ネットワークに加盟し、Ｅｃｕ−Ｌｉｎｅジャパンの名前で営業を行うというものであり、その内容は、フランチャイジーはフランチャイザーの有するノウハウ、商標などが利用できるＥｃｕ−Ｌｉｎｅグループの日本の単独代理店として行動でき、契約終了後は、フランチャイジーはフランチャイザーの商号、商標、標章の使用を停止し、フランチャイザーに帰属するすべての物品を返却しなければならない、フランチャイザーの財産の限定的使用権は契約終了と同時に消滅する、もし、フランチャイジーがフランチャイザーの要求に対して物品を返却しようとしない場合、フランチャイザーはフランチャイジーの費用負担でそれらを回収することができる、フランチャイジーの使用の結果生み出された新しい、あるいは派生的な知的財産権はフランチャイザーに帰属するというものであった。
（ｂ）請求人は、「被請求人は、フランチャイズ契約に違反し、請求人に無断で本件商標を登録出願し、その登録を受け、契約終了後も、請求人に権利を移転せず無断で使用を続けている」旨主張するところ、被請求人は、何ら答弁するところがない。
（ウ）まとめ
　してみれば、本件商標は、上述のとおり引用商標と類似のものであり、しかもフランチャイズ契約書に記載されている「Ｅｃｕ−Ｌｉｎｅグループ（Ｅｃｕ−Ｌｉｎｅ　Ｇｒｏｕｐ　ｏｆ　Ｃｏｍｐａｎｉｅｓ）」の主要部といい得る「Ｅｃｕ−Ｌｉｎｅ」の文字と一致するものであって、フランチャイズ契約から本件商標の登録出願、契約の終了から現在に至るまでの経緯に照らせば、被請求人は、引用商標及び「Ｅｃｕ−Ｌｉｎｅグループ（Ｅｃｕ−Ｌｉｎｅ　Ｇｒｏｕｐ　ｏｆ　Ｃｏｍｐａｎｉｅｓ）」の存在を知悉した上で、本件商標を請求人に無断で登録出願をして登録を受け、本件商標が請求人に帰属する旨の契約条項に違反して、契約終了後も、本件商標を請求人に引き渡さずに使用し続けているというべきであるから、かかる被請求人の行為は、商取引の信義則に悖り、公正な競業秩序を乱すおそれがあるばかりでなく国際信義にも反すると認めるのが相当である。
（２）結論
　以上のとおり、本件商標は、国際信義に反し公の秩序を害するおそれがあるものといわなければならないから、その登録は、商標法第４条第１項第７号の違反してされたものである。
　したがって、本件商標は、同法第４６条第１項の規定により、その登録を無効とすべきものである。
　よって、結論のとおり審決する。